(57)【要約】【課題】曲面状の表示面を有する横電界方式の液晶表示装置において、表示画面のコーナー部付近に生じる輝度ムラを低減する。【解決手段】液晶表示装置は、曲面状の表示面を有する横電界方式の液晶表示装置であって、第１方向に曲げられ、複数のゲート線と複数のデータ線と画素電極と共通電極とを含む第１基板と、前記第１方向に曲げられ、前記第１基板に対向配置され、偏光板を含む第２基板と、前記第１基板及び前記第２基板の間に配置される液晶層と、前記第１基板及び前記第２基板を貼り合わせるためのシール材と、前記複数のゲート線及び前記複数のデータ線の少なくとも何れか一方に駆動用信号を出力する駆動ドライバと、を含み、平面的に見て、前記偏光板は、少なくとも前記駆動ドライバに近い辺の一部が、前記シール材に重なっている、又は、前記シール材より外側に位置している。【選択図】図１
2017215411.tif 000002
【特許請求の範囲】
【請求項１】
曲面状の表示面を有する横電界方式の液晶表示装置であって、
第１方向に曲げられ、複数のゲート線と複数のデータ線と画素電極と共通電極とを含む第１基板と、
前記第１方向に曲げられ、前記第１基板に対向配置され、偏光板を含む第２基板と、
前記第１基板及び前記第２基板の間に配置される液晶層と、
前記第１基板及び前記第２基板を貼り合わせるためのシール材と、
前記複数のゲート線及び前記複数のデータ線の少なくとも何れか一方に駆動用信号を出力する駆動ドライバと、
を含み、
平面的に見て、前記偏光板は、少なくとも前記駆動ドライバに近い辺の一部が、前記シール材に重なっている、又は、前記シール材より外側に位置している、
ことを特徴とする液晶表示装置。
【請求項２】
前記第１基板は、平面的に見て、前記第２基板から第１方向にはみ出たドライバ搭載領域を含み、
前記駆動ドライバは、前記ドライバ搭載領域に搭載されている、
ことを特徴とする請求項１に記載の液晶表示装置。
【請求項３】
前記ドライバ搭載領域には、アース端子が配置され、
前記第２基板は、さらに、前記偏光板よりも前記第１基板側に導電層を含み、
当該液晶表示装置は、さらに、前記アース端子と前記導電層とを電気的に接続するための接続部材を含み、
前記偏光板における前記駆動ドライバに近い辺には、前記導電層における前記接続部材との接続領域が露出するように切り欠きが形成されている、
ことを特徴とする請求項２に記載の液晶表示装置。
【請求項４】
平面的に見て、前記接続部材の一端が前記アース端子に重なり、前記接続部材の他端が前記偏光板に形成された前記切り欠きから露出された前記接続領域に重なっている、
ことを特徴とする請求項３に記載の液晶表示装置。
【請求項５】
前記偏光板は、前記切り欠きが形成され前記駆動ドライバに近い第１辺と、前記第１辺に対向する第２辺と、前記第１辺及び前記第２辺の一端に接続される第３辺と、前記第１辺及び前記第２辺の他端に接続される第４辺と、を含み、
平面的に見て、前記第１辺のうち前記切り欠きに接続される部分と、前記第２辺と、前記第３辺と、前記第４辺とが、前記シール材に重なっている、又は、前記シール材より外側に位置している、
ことを特徴とする請求項３に記載の液晶表示装置。
【請求項６】
前記切り欠きは、前記第１辺のうち、前記第３辺または前記第４辺に接続された両端よりも、前記両端の間の中央位置に近い領域に形成されている、
ことを特徴とする請求項５に記載の液晶表示装置。
【請求項７】
前記切り欠きの角部は、円弧状に形成されている、
ことを特徴とする請求項３に記載の液晶表示装置。
【請求項８】
当該液晶表示装置は、さらに、前記第２基板の表示面側に配置される前面板を含み、
前記前面板は、接着層を介して前記偏光板に接着固定されており、
前記前面板及び前記接着層は、平面的に見て、前記偏光板の全体を覆っている、
ことを特徴とする請求項１に記載の液晶表示装置。
【発明の詳細な説明】
【技術分野】
【０００１】
本発明は、液晶表示装置に関する。
【背景技術】
【０００２】
近年、曲面状の表示面を有する液晶表示装置が提案されている（例えば特許文献１）。このような液晶表示装置では、一対の基板（薄膜トランジスタ基板（ＴＦＴ基板）及びカラーフィルタ基板（ＣＦ基板））それぞれが曲面状に湾曲するように形成される。
【先行技術文献】
【特許文献】
【０００３】
【特許文献１】特開２００９−９２８８４号公報
【特許文献２】特開平９−１０５９１８号公報
【発明の概要】
【発明が解決しようとする課題】
【０００４】
本願発明者らは、曲面状の表示面を有する液晶表示装置のうち特にＩＰＳ（In-Place-Switching）方式に代表される横電界方式の液晶表示装置において、表示画面のコーナー部付近に輝度ムラが生じることを見出した。具体的には例えば、背面側が凸状になるように両基板を曲面状に形成した場合、ＴＦＴ基板を構成するガラス基板には引張（延伸）応力が働き、ＣＦ基板を構成するガラス基板には圧縮応力が働く。２つのガラス基板の曲率が理想的（一定）であれば問題は生じないが、現実には曲げに対する反力により、理想的な（一定の）曲率に対してずれが生じる。このようなずれが発生すると、両ガラス基板間において、液晶分子に対して斜め方向に位相差が発生する。横電界方式では、液晶分子が両基板に略平行に配置されているため、斜め方向の光（偏光）が上記位相差の影響によりさらに回転する。この結果、偏光の回転が偏光板により相殺されず、光漏れが発生し、例えば黒画像を表示する際に白浮きが視認され易くなる。この光漏れは、理想的な曲率からのずれが大きくなり易いコーナー部付近に生じ易いため、表示画面のコーナー部付近に輝度ムラが生じ易くなる。
【０００５】
一方、従来の液晶表示装置では、一般的に、ＣＦ基板に配置される偏光板は、材料費の削減や静電気の除去対策等の観点から、平面的に見て、ＴＦＴ基板及びＣＦ基板を貼り合わせるためのシール材より内側に配置されている。例えば、特許文献２には、横電界方式の液晶表示装置において、ＣＦ基板に帯電する静電気を除去するための構成として、ＣＦ基板における液晶層とは反対側の面に導電層を形成し、ＴＦＴ基板にアース端子を形成し、該導電層と該アース端子とをケーブル等により互いに電気的に接続する構成が開示されている。上記構成では、平面的に見て、ＣＦ基板に配置される偏光板がシール材より内側に配置され、導電層が偏光板の周囲に露出し、露出した導電層にケーブルが接続されている。
【０００６】
曲面状の表示面を有する横電界方式の液晶表示装置において、ＣＦ基板に配置される偏光板がシール材より内側に配置される場合には、ＣＦ基板の周縁部に偏光板の厚みに応じた段差が生じ、ＣＦ基板の表示面側に配置されるカバーガラスやフィルム等によりＣＦ基板の周縁部を保持し難くなる。このため、表示パネルにおけるコーナー部付近の歪がより大きくなり、上記輝度ムラが視認され易くなる。
【０００７】
本発明は、上記実情に鑑みてなされたものであり、その目的は、曲面状の表示面を有する横電界方式の液晶表示装置において、表示画面のコーナー部付近に生じる輝度ムラを低減することにある。
【課題を解決するための手段】
【０００８】
上記課題を解決するために、本発明に係る液晶表示装置は、曲面状の表示面を有する横電界方式の液晶表示装置であって、第１方向に曲げられ、複数のゲート線と複数のデータ線と画素電極と共通電極とを含む第１基板と、前記第１方向に曲げられ、前記第１基板に対向配置され、偏光板を含む第２基板と、前記第１基板及び前記第２基板の間に配置される液晶層と、前記第１基板及び前記第２基板を貼り合わせるためのシール材と、前記複数のゲート線及び前記複数のデータ線の少なくとも何れか一方に駆動用信号を出力する駆動ドライバと、を含み、平面的に見て、前記偏光板は、少なくとも前記駆動ドライバに近い辺の一部が、前記シール材に重なっている、又は、前記シール材より外側に位置している、ことを特徴とする。
【０００９】
本発明に係る液晶表示装置では、前記第１基板は、平面的に見て、前記第２基板から第１方向にはみ出たドライバ搭載領域を含み、前記駆動ドライバは、前記ドライバ搭載領域に搭載されていてもよい。
【００１０】
本発明に係る液晶表示装置では、前記ドライバ搭載領域には、アース端子が配置され、前記第２基板は、さらに、前記偏光板よりも前記第１基板側に導電層を含み、当該液晶表示装置は、さらに、前記アース端子と前記導電層とを電気的に接続するための接続部材を含み、前記偏光板における前記駆動ドライバに近い辺には、前記導電層における前記接続部材との接続領域が露出するように切り欠きが形成されていてもよい。
【００１１】
本発明に係る液晶表示装置では、平面的に見て、前記接続部材の一端が前記アース端子に重なり、前記接続部材の他端が前記偏光板に形成された前記切り欠きから露出された前記接続領域に重なっていてもよい。
【００１２】
本発明に係る液晶表示装置では、前記偏光板は、前記切り欠きが形成され前記駆動ドライバに近い第１辺と、前記第１辺に対向する第２辺と、前記第１辺及び前記第２辺の一端に接続される第３辺と、前記第１辺及び前記第２辺の他端に接続される第４辺と、を含み、平面的に見て、前記第１辺のうち前記切り欠きに接続される部分と、前記第２辺と、前記第３辺と、前記第４辺とが、前記シール材に重なっている、又は、前記シール材より外側に位置していてもよい。
【００１３】
本発明に係る液晶表示装置では、前記切り欠きは、前記第１辺のうち、前記第３辺または前記第４辺に接続された両端よりも、前記両端の間の中央位置に近い領域に形成されていてもよい。
【００１４】
本発明に係る液晶表示装置では、前記切り欠きの角部は、円弧状に形成されていてもよい。
【００１５】
本発明に係る液晶表示装置では、当該液晶表示装置は、さらに、前記第２基板の表示面側に配置される前面板を含み、前記前面板は、接着層を介して前記偏光板に接着固定されており、前記前面板及び前記接着層は、平面的に見て、前記偏光板の全体を覆っていてもよい。
【発明の効果】
【００１６】
本発明に係る液晶表示装置によれば、曲面状の表示面を有する横電界方式の液晶表示装置において、表示画面のコーナー部付近に生じる輝度ムラを低減することができる。
【図面の簡単な説明】
【００１７】
【図１】（ａ）は本実施形態に係る液晶表示装置の全体構成の概略を示す平面図であり、（ｂ）は（ａ）の側面図である。
【図２】本実施形態に係る表示パネルにおける表示領域の概略構成を示す等価回路図である。
【図３】上記表示パネルの画素の具体的な構成を示す平面図である。
【図４】図３のＣ−Ｃ断面図である。
【図５】図３のＤ−Ｄ断面図である。
【図６】本実施形態に係るＣＦ基板に配置される偏光板の具体的な構成を示す平面図である。
【図７】図１のＡ−Ａ断面図である。
【図８】図１のＢ−Ｂ断面図である。
【図９】本実施形態に係るＣＦ基板に配置される偏光板の他の構成を示す平面図である。
【図１０】本実施形態に係るＣＦ基板に配置される偏光板の他の構成を示す平面図である。
【図１１】本実施形態に係る液晶表示装置の他の構成を示すＡ−Ａ断面図である。
【図１２】本実施形態に係る液晶表示装置の他の構成を示すＢ−Ｂ断面図である。
【図１３】（ａ）は本実施形態に係る液晶表示装置の他の構成の概略を示す平面図であり、（ｂ）は（ａ）の側面図である。
【発明を実施するための形態】
【００１８】
本発明の一実施形態について、図面を用いて以下に説明する。図１（ａ）は、本実施形態に係る液晶表示装置１の概略構成を示す平面図であり、図１（ｂ）は液晶表示装置１の側面図である。液晶表示装置１は、表示パネル１０と、駆動ドライバ（例えば、ソースドライバＩＣ２０、ゲートドライバＩＣ３０）と、制御回路（図示せず）と、バックライト装置（図示せず）とを含んで構成されている。表示パネル１０は、第１基板としての薄膜トランジスタ基板１００（以下、ＴＦＴ基板という。）と、第２基板としてのカラーフィルタ基板２００（以下、ＣＦ基板という。）と、両基板間に配置された液晶層３００とを含んでいる。ＴＦＴ基板１００及びＣＦ基板２００は、ＣＦ基板２００の周縁部に対応する位置に枠状に形成されたシール材６０により互いに接着固定されている。液晶層３００は、ＴＦＴ基板１００とＣＦ基板２００とシール材６０とにより囲まれて配置されており、液晶層３００に含まれる液晶が、シール材６０の内側に封入されている。
【００１９】
図１（ｂ）に示すように、ＴＦＴ基板１００及びＣＦ基板２００は、第１方向としての行方向に湾曲するように曲げられている。すなわち、ＴＦＴ基板１００及びＣＦ基板２００は、第１方向における両端部よりも中央部が表示面側または背面側に突出するように湾曲している。本実施形態では、ＴＦＴ基板１００及びＣＦ基板２００は、第１方向における両端部よりも中央部が背面側に突出するように湾曲している。
【００２０】
表示パネル１０は、領域で大別すると、画像を表示する表示領域１０ａと、表示領域１０ａの周囲の非表示領域１０ｂ（額縁領域）とを含んでいる。ＴＦＴ基板１００における非表示領域１０ｂに対応する領域には、駆動ドライバとしてのソースドライバＩＣ２０及びゲートドライバＩＣ３０等を搭載するためのドライバ搭載領域１００ｂが含まれる。本実施形態に係る液晶表示装置１では、狭額縁化を図るために、ドライバ搭載領域１００ｂが表示パネル１０の一辺（図１では左辺）側に配置されている。言い換えると、ドライバ搭載領域１００ｂは、平面的に見て、ＣＦ基板２００から行方向（第１方向）にはみ出している。ＴＦＴ基板１００は、平面的に見て、ドライバ搭載領域１００ｂの分だけＣＦ基板２００より面積が大きくなっている。ソースドライバＩＣ２０及びゲートドライバＩＣ３０は、ドライバ搭載領域１００ｂにおいて、ＴＦＴ基板１００を構成するガラス基板上に直接搭載されている。すなわち、図１では、ＣＯＧ（Chip On Glass）方式の液晶表示装置を例示している。ソースドライバＩＣ２０及びゲートドライバＩＣ３０は、表示パネル１０の一辺に沿って一列（図１では列方向）に並んで配置されている。尚、本実施形態では、ソースドライバＩＣ２０及びゲートドライバＩＣ３０を２個ずつ示しているが、それぞれの数は限定されない。また、本発明に係る液晶表示装置は、ＣＯＧ方式に限定されず、例えばＣＯＦ（Chip On Film）方式又はＴＣＰ（Tape Carrier Package）方式の液晶表示装置であってもよい。
【００２１】
ＴＦＴ基板１００のドライバ搭載領域１００ｂには、さらにアース端子１０７が配置されている。アース端子１０７は、ドライバ搭載領域１００ｂにおける列方向の中央付近に配置されている。例えば、アース端子１０７は、図１において、２つのソースドライバＩＣ２０の間に配置されている。アース端子１０７の数は限定されない。
【００２２】
ＴＦＴ基板１００の背面側には偏光板１０６が形成されており、偏光板１０６のさらに背面側にはバックライト装置が配置されている。ＣＦ基板２００の表示面側には、導電層２０６が形成されており、導電層２０６のさらに表示面側には偏光板２０７が形成されている。導電層２０６は、例えば透明導電材料ＩＴＯ（酸化インジウムスズ）により形成されている。導電層２０６は、ＣＦ基板２００の全面に亘ってベタ状に形成されている。偏光板２０７は、導電層２０６の上に、導電層２０６の全面に亘って略ベタ状に形成されている。偏光板２０７の一辺（図１（ａ）では左辺）には、切り欠き２０８が形成されている。このため、表示パネル１０を平面的に見ると（図１（ａ）参照）、切り欠き２０８の領域には導電層２０６が露出している。表示パネル１０には、さらに、偏光板２０７から露出している導電層２０６の一部（露出部分）と、ＴＦＴ基板１００上に配置されているアース端子１０７とを互いに電気的に接続するための接続部材４００が形成されている。接続部材４００は、例えばアース端子１０７の一部と導電層２０６の露出部分の一部とを覆うように導電材料を塗布することにより形成される。接続部材４００は、導電テープであってもよいし、導電配線であってもよい。偏光板２０７及び切り欠き２０８の具体的な構成は後述する。
【００２３】
図１（ａ）には、シール材６０の内周部を点線で示している。平面的に見て、シール材６０の外周部の位置は、ＣＦ基板２００の周縁部の位置と一致しており、シール材６０の内周部の位置は、表示領域１０ａより外側に位置している。
【００２４】
図２は、表示パネル１０における表示領域１０ａの概略構成を示す等価回路図である。表示パネル１０には、第１方向（例えば行方向）に延在する複数のデータ線１１と、第２方向（例えば列方向）に延在する複数のゲート線１２とが設けられている。各データ線１１と各ゲート線１２との各交差部には、薄膜トランジスタ１３（以下、ＴＦＴという。）が設けられている。各データ線１１は対応するソースドライバＩＣ２０（図１参照）に電気的に接続されており、各ゲート線１２は対応するゲートドライバＩＣ３０（図１参照）に電気的に接続されている。
【００２５】
表示パネル１０には、各データ線１１と各ゲート線１２との各交差部に対応して、複数の画素１４がマトリクス状（行方向及び列方向）に配置されている。ＴＦＴ基板１００には、画素１４ごとに配置される複数の画素電極１５と、複数の画素１４に共通する共通電極１６とが設けられている。
【００２６】
各データ線１１には、対応するソースドライバＩＣ２０からデータ信号（データ電圧）が供給される。各ゲート線１２には、対応するゲートドライバＩＣ３０からゲート信号（ゲートオン電圧、ゲートオフ電圧）が供給される。共通電極１６には、コモンドライバ（図示せず）から共通配線１７を介して共通電圧Ｖｃｏｍが供給される。ゲート信号のオン電圧（ゲートオン電圧）がゲート線１２に供給されると、ゲート線１２に接続されたＴＦＴ１３がオンし、ＴＦＴ１３に接続されたデータ線１１を介して、データ電圧が画素電極１５に供給される。画素電極１５に供給されたデータ電圧と、共通電極１６に供給された共通電圧Ｖｃｏｍとの差により電界が生じる。この電界により液晶を駆動してバックライトの光の透過率を制御することによって画像表示を行う。なお、カラー表示を行う場合は、ストライプ状のカラーフィルタで形成された赤色、緑色、青色に対応するそれぞれの画素１４の画素電極１５に接続されたそれぞれのデータ線１１に、所望のデータ電圧を供給することにより実現される。
【００２７】
図３は、表示パネル１０の画素１４の具体的な構成を示す平面図である。図４は図３のＣ−Ｃ断面図であり、図５は図３のＤ−Ｄ断面図である。図３〜図５を参照しつつ、画素１４の具体的な構成について説明する。
【００２８】
図３において、表示パネル１０を平面的に見て、隣り合う２本のデータ線１１と、隣り合う２本のゲート線１２とで区画された領域が１つの画素１４に相当する。各画素１４には、ＴＦＴ１３が設けられている。ＴＦＴ１３は、絶縁膜１０２（図４及び図５参照）上に形成された半導体層２１と、半導体層２１上に形成されたドレイン電極２２及びソース電極２３とを含んで構成されている。ドレイン電極２２はデータ線１１に電気的に接続されており、ソース電極２３はスルーホール２４を介して画素電極１５に電気的に接続されている。
【００２９】
各画素１４には、ＩＴＯ等の透明導電材料からなる画素電極１５が形成されている。画素電極１５は、複数の開口部（スリット）を有しており、ストライプ状に形成されている。開口部の形状は限定されない。各画素１４に共通して、表示領域１０ａの全体にＩＴＯ等の透明導電材料からなる１つの共通電極１６が形成されている。共通電極１６における、スルーホール２４及びＴＦＴ１３のソース電極２３に重なる領域には、画素電極１５とソース電極２３とを電気的に接続させるための開口部（図３の点線囲みに相当）が形成されている。
【００３０】
図４及び図５に示すように、表示パネル１０は、ＴＦＴ基板１００と、ＣＦ基板２００と、ＴＦＴ基板１００及びＣＦ基板２００の間に挟持される液晶層３００と、を含んで構成されている。
【００３１】
ＴＦＴ基板１００では、ガラス基板１０１上にゲート線１２（図４参照）が形成され、ゲート線１２を覆うように絶縁膜１０２が形成されている。絶縁膜１０２上にはデータ線１１（図５参照）が形成され、データ線１１を覆うように絶縁膜１０３が形成されている。絶縁膜１０３上には共通電極１６が形成され、共通電極１６を覆うように絶縁膜１０４が形成されている。絶縁膜１０４上には画素電極１５が形成され、画素電極１５を覆うように配向膜１０５が形成されている。ガラス基板１０１におけるバックライト装置側（液晶層３００側とは反対側）の面（背面）には偏光板１０６が設けられている。
【００３２】
ＣＦ基板２００では、ガラス基板２０１上にブラックマトリクス２０３及び着色部２０２（例えば、赤色部、緑色部、青色部）が形成され、これらを覆うようにオーバコート層２０４が形成されている。オーバコート層２０４上には配向膜２０５が形成されている。ガラス基板２０１における表示面側（液晶層３００側とは反対側）の面（表面）には導電層２０６が設けられており、導電層２０６における表示面側（液晶層３００側とは反対側）の面（表面）には偏光板２０７が設けられている。
【００３３】
液晶層３００には、液晶３０１が封入されている。液晶３０１は、誘電率異方性が負のネガ型液晶であってもよいし、誘電率異方性が正のポジ型液晶であってもよい。配向膜１０５，２０５は、ラビング配向処理が施された配向膜であってもよいし、光配向処理が施された光配向膜であってもよい。
【００３４】
上記のように、液晶表示装置１は、ＴＦＴ基板１００及びＣＦ基板２００に略平行な電界を液晶層３００に印加する横電界方式の構成を有している。液晶表示装置１は、例えば、ＩＰＳ（In Plane Switching）方式の構成を有している。
【００３５】
本実施形態に係る液晶表示装置１は、曲面状の表示面を有する横電界方式の構成において、ＣＦ基板２００に配置される偏光板２０７が特徴的な構成を有することにより、表示画面のコーナー部付近に生じる輝度ムラの低減を実現するものである。以下では、偏光板２０７と、偏光板２０７に形成される切り欠き２０８の具体的な構成について説明する。
【００３６】
図６は、偏光板２０７の具体的な構成を示す平面図である。偏光板２０７は、列方向に延在し、行方向に互いに対向配置される第１辺２０７ａ及び第２辺２０７ｂと、行方向に延在し、列方向に互いに対向配置される第３辺２０７ｃ及び第４辺２０７ｄと、を含んでいる。第３辺２０７ｃは、第１辺２０７ａ及び第２辺２０７ｂの一端に接続されており、第４辺２０７ｄは、第１辺２０７ａ及び第２辺２０７ｂの他端に接続されている。偏光板２０７の各辺のうち駆動ドライバ（ここではソースドライバＩＣ２０及びゲートドライバＩＣ３０）に近い辺（ここでは第１辺２０７ａ）には、切り欠き２０８が形成されている。切り欠き２０８は、例えばコの字状に形成されており、第１辺２０７ａにおける列方向の中央付近に形成されている。より詳細には、切り欠き２０８は、第１辺２０７ａのうち、第３辺２０７ｃ又は第４辺２０７ｄに接続された両端Ｅ１，Ｅ２よりも、両端Ｅ１，Ｅ２の間の中央位置Ｍ０に近い領域に形成されている。切り欠き２０８の行方向及び列方向の長さは、偏光板２０７の下に配置される導電層２０６（図１参照）が露出し、導電層２０６の露出部分に接続部材４００（図１参照）を配置し得る程度の大きさに設定されている。
【００３７】
図７は、図１のＡ−Ａ断面図である。図７に示すように、切り欠き２０８が形成された部分の偏光板２０７の行方向の長さは、表示領域１０ａの行方向の長さより大きくなっている。また、切り欠き２０８が形成された部分の偏光板２０７の端部（図７に示す左端部Ｅ３）の位置は、平面的に見て、表示領域１０ａより外側かつシール材６０の内周部より内側に位置している。ただし、このような例に限定されず、切り欠き２０８が形成された部分の偏光板２０７の端部（図７に示す左端部Ｅ３）の位置は、平面的に見て、シール材６０の内周部より外側に位置していてもよい。また、切り欠き２０８が形成された部分とは反対側の偏光板２０７の端部（図７に示す右端部Ｅ４）（第２辺２０７ｂ）の位置は、平面的に見て、表示領域１０ａより外側に位置し、かつシール材６０の外周部に一致している。
【００３８】
図８は、図１のＢ−Ｂ断面図である。図８に示すように、偏光板２０７の行方向の長さは、表示領域１０ａの行方向の長さより大きくなっている。また、切り欠き２０８が形成されていない部分の偏光板２０７の両端部（図８に示す左端部及び右端部）（第１辺２０７ａ及び第２辺２０７ｂ）の位置は、平面的に見て、表示領域１０ａより外側に位置し、かつシール材６０の外周部に一致している。尚、偏光板２０７の第３辺２０７ｃ及び第４辺２０７ｄの位置についても、平面的に見て、表示領域１０ａより外側に位置し、かつシール材６０の外周部に一致している。このように、平面的に見て、偏光板２０７は、切り欠き２０８が形成されていない周縁部が、シール材６０に重なるように配置されている。尚、切り欠き２０８が形成された部分の偏光板２０７は、シール材６０に重なっていてもよい。
【００３９】
ここで、従来の構成では、導電層とアース端子とを接続するための領域等を確保するために、ＣＦ基板に設けられる偏光板における各辺のうち駆動ドライバに近い辺が、駆動ドライバから遠い辺に比べて表示領域に近い位置に配置される傾向にある。この構成では、ＣＦ基板における駆動ドライバに近い端部付近を保持し難くなるため、表示パネルにおける駆動ドライバに近いコーナー部付近の歪がより生じ易くなり、表示画面における駆動ドライバに近いコーナー部付近の輝度ムラがより目立つようになる。そこで、本実施形態に係る液晶表示装置１は、平面的に見て、偏光板２０７における、少なくとも駆動ドライバに近い辺（第１辺２０７ａ）の一部（切り欠き２０８が形成されていない部分）が、シール材６０よりも内側ではなくシール材６０に重なるように配置される構成を有している。これにより、少なくとも表示パネル１０における駆動ドライバに近いコーナー部付近の歪を低減することができるため、従来の構成と比較して、表示画面におけるコーナー部付近に生じる輝度ムラを低減することができる。尚、上述したように、液晶表示装置１では、平面的に見て、偏光板２０７は、駆動ドライバに近い第１辺２０７ａの一部に加えて、第２辺２０７ｂ、第３辺２０７ｃ及び第４辺２０７ｄが、シール材６０に重なるように配置される構成とすることがより好ましい。これにより、表示パネル１０における各コーナー部付近の歪を低減することができるため、表示画面における各コーナー部付近に生じる輝度ムラを低減することができる。
【００４０】
図１及び図６に示す偏光板２０７では、切り欠き２０８が、コの字状に形成されているが、切り欠き２０８の形状はこれに限定されない。例えば、図９に示すように、図６に示す切り欠き２０８の角部が円弧状に形成されていてもよい。図９に示す構成によれば、偏光板２０７が湾曲したときに、切り欠き２０８の角部に応力が集中し難くなるため、切り欠き２０８の周辺の変形や損傷を低減することができる。よって、切り欠き２０８の周辺に生じ得る輝度ムラを低減することができる。尚、切り欠き２０８の角部が、多角形状に形成されていてもよい。図９に示す切り欠き２０８の円弧部分の大きさは限定されず、例えば図１０に示すように、列方向に大きくなるように形成されていてもよい。
【００４１】
また、本実施の形態によれば、第１基板としてのＴＦＴ基板１００は、平面的に見て第２基板としてのＣＦ基板２００から第１方向（行方向）にはみ出たドライバ搭載領域１００ｂを含み、駆動ドライバ（ソースドライバＩＣ２０、ゲートドライバＩＣ３０）は、ドライバ搭載領域１００ｂに搭載されている。このような形態によれば、駆動ドライバを、曲げによる変形の影響を受けにくいドライバ搭載領域１００ｂに配置することができるため、駆動ドライバを安定して設置することができると共に、駆動ドライバに接続された配線が断線するおそれを低減することができる。
【００４２】
また、本実施形態によれば、切り欠き２０８は、第１辺２０７ａのうち、第３辺２０７ｃまたは第４辺２０７ｄに接続された両端Ｅ１，Ｅ２よりも、両端Ｅ１，Ｅ２の間の中央位置Ｍ０に近い領域に形成されている。この場合、切り欠き２０８を、表示画面のコーナー部以外の領域に配置することができるため、コーナー部付近に生じ得る輝度ムラを、切り欠き２０８を形成することにより悪化させるおそれが極めて少ない。
【００４３】
本発明に係る液晶表示装置は、上記構成に限定されない。例えば図１１及び図１２に示すように、液晶表示装置１は、さらに表示面側に前面板としてのカバーガラス２１０が設けられていてもよい。尚、図１１は、図１に示すＡ−Ａ断面と同じ部分の断面を示し、図１２は、図１に示すＢ−Ｂ断面と同じ部分の断面を示している。カバーガラス２１０は、曲面状に形成されており、接着層２０９によりＣＦ基板２００に貼り付けられている。接着層２０９は、例えば紫外線硬化樹脂材料（ＯＣＲ）で形成されている。具体的には、偏光板２０７の上に、偏光板２０７の全体を覆うように形成された接着層２０９が配置され、接着層２０９の上に、偏光板２０７の全体を覆うように形成されたカバーガラス２１０が配置される。接着層２０９は、図１１に示すように、切欠き部２０８上には配置されないように塗布されている。尚、接着層２０９は、切欠き部２０８上に塗布されても問題ない。接着層２０９に紫外線を照射することにより、カバーガラス２１０が偏光板２０７に接着固定される。これにより、曲面状の表示パネル１０がカバーガラス２１０により保持される。上記構成によれば、偏光板２０７がＣＦ基板２００の周縁部まで配置され、カバーガラス２１０が偏光板２０７の周縁部を覆うように配置されるため、表示パネル１０の周縁部までカバーガラス２１０で保持することができる。これにより、表示パネル１０におけるコーナー部付近の歪を低減することができるため、表示画面のコーナー部付近に生じる輝度ムラを低減することができる。尚、上記液晶表示装置１では、接着層２０９及びカバーガラス２１０の代わりに、例えば、加熱することにより一軸方向に収縮する性質を有する熱収縮フィルムを用いてもよい。
【００４４】
また、上記構成では、平面的に見て、シール材６０は、該シール材６０の外周部がＣＦ基板２００の周縁部に一致するように配置されているが、本発明に係る液晶表示装置は、図１３（ａ）、（ｂ）に示すように、シール材６０は、シール材６０の外周部がＣＦ基板２００の周縁部より内側に位置するように配置されていてもよい。図１３に示す構成では、平面的に見て、偏光板２０７は、該偏光板２０７の周縁部のうち切り欠き２０８が形成されていない部分が、シール材６０より外側に位置するように（シール材６０を超えて）配置されている。尚、図１３に示す構成では、偏光板２０７は、少なくとも駆動ドライバに近い辺の一部が、シール材６０より外側に位置していればよい。
【００４５】
また、上記構成では、ソースドライバＩＣ２０及びゲートドライバＩＣ３０が、共に一側面側（図１では左側面側）に配置されているが、本発明に係る液晶表示装置はこれに限定されず、例えばソースドライバＩＣ２０が左側面側に配置され、ゲートドライバＩＣ３０が上側面側に配置されてもよい。この場合、アース端子１０７と、偏光板２０７の切り欠き２０８とが、左側面側に配置されてもよいし、上側面側に配置されてもよいし、左側面及び上側面の両方にそれぞれ配置されてもよい。
【００４６】
また、上記構成の液晶表示装置１では、行方向に湾曲するように曲げられているが（図１（ｂ）参照）、本発明に係る液晶表示装置は、列方向に湾曲するように曲げられていてもよく、曲げ方向は限定されない。また、上記構成の液晶表示装置１では、背面側が凸状になるように曲げられているが（図１（ｂ）参照）、本発明に係る液晶表示装置は、表示面側が凸状になるように曲げられていてもよく、凹凸の方向は限定されない。
【００４７】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００４８】
１  液晶表示装置、１０  表示パネル、１０ａ  表示領域、１０ｂ  非表示領域、１００ｂ  ドライバ搭載領域、２０  ソースドライバＩＣ、３０  ゲートドライバＩＣ、６０  シール材、１１  データ線、１２  ゲート線、１３  薄膜トランジスタ、１４  画素、１５  画素電極、１６  共通電極、１７  共通配線、１００  薄膜トランジスタ基板、１０１  ガラス基板、１０６  偏光板、１０７  アース端子、２００  カラーフィルタ基板、２０１  ガラス基板、２０６  導電層、２０７  偏光板、２０７ａ  第１辺、２０７ｂ  第２辺、２０７ｃ  第３辺、２０７ｄ  第４辺、２０８  切り欠き、２０９  接着層、２１０  カバーガラス、３００  液晶層、４００  接続部材。
【図１】
2017215411.tif 000003
【図２】
2017215411.tif 000004
【図３】
2017215411.tif 000005
【図４】
2017215411.tif 000006
【図５】
2017215411.tif 000007
【図６】
2017215411.tif 000008
【図７】
2017215411.tif 000009
【図８】
2017215411.tif 000010
【図９】
2017215411.tif 000011
【図１０】
2017215411.tif 000012
【図１１】
2017215411.tif 000013
【図１２】
2017215411.tif 000014
【図１３】
2017215411.tif 000015